(57)【要約】【課題】食品密封収容袋を収容して電子レンジ加熱することができ、その際、袋内圧上昇に伴って開封される袋の圧抜き部からの内容物飛散を抑制することができる該袋の包装箱及びこれを採用した食品密封収容袋包装体並びに該箱形成のための箱原板を提供する。【解決手段】食品Ｆを密封収容した食品密封収容袋２であって、上面２０に加熱による内圧上昇により開封される圧抜き部２２を有する扁平状の袋２を包装するための食品密封収容袋包装箱１であり、上壁１１に押し開き開封部１０が形成されており、押し開き開封部１０は、箱内側へ押されることで破断用ラインａ、ｂ１、ｂ２が破断され、屈曲用ラインｃを中心に箱内側へ折れ曲がり可能である箱１。箱１を形成するための箱原板１０００．箱１に食品密封収容袋２を収容した包装体１００。【選択図】図１
2013018502.tif 000002
【特許請求の範囲】
【請求項１】
電子レンジ加熱可能な食品を密封収容した食品密封収容袋であって、上面に前記食品の加熱による内圧上昇により開封される圧抜き部を有する扁平状の食品密封収容袋を包装するための食品密封収容袋包装箱であり、
上壁と、前記上壁の左側端に上端が続く左側壁と、前記上壁の右側端に上端が続く右側壁と、前記左右側壁の下端に続き、前記上壁に対向する下壁と、前記上壁及び下壁の前端に続く前壁及び後端に続く後壁を含んでいて前記左右側壁間距離及び前記前後壁間距離より前記上下壁間距離が短い扁平形状を呈しており、
前記上壁の前端部に押し開き開封部が形成されており、前記押し開き開封部は、上壁前端側の左右方向破断用ラインと、前記左右方向破断用ラインの左右端から上壁後端側へ向け延びる左側破断用ライン及び右側破断用ラインと、前記左側破断用ライン及び右側破断用ラインの上壁後端側のライン端を結ぶ屈曲用ラインで囲まれており、箱外側から箱内側へ押されることで前記各破断用ラインが破断され、前記屈曲用ラインを中心に箱内側へ折れ曲がり可能であり、
前記上壁と前記前壁の境界稜線に沿って、前壁開き用の破断用ラインが形成されている
ことを特徴とする食品密封収容袋包装箱。
【請求項２】
前記押し開き開封部を形成している前記屈曲用ラインは上壁後端側へ向け膨出する円弧状ラインである請求項１記載の食品密封収容袋包装箱。
【請求項３】
前記押し開き開封部は上壁前端側から上壁後端側へ広がる扇形状の開封部である請求項２記載の食品密封収容袋包装箱。
【請求項４】
前記上壁に箱内側から突っ張り力が作用した場合に該上壁の箱外側への膨らみ変形を容易化するための、該上壁の前後端方向に延びる上壁折れ曲がり用ラインが前記上壁に形成されている請求項２又は３記載の食品密封収容袋包装箱。
【請求項５】
前記押し開き開封部には押し開きを誘導するためのエンボス加工が施されている請求項１から４のいずれか１項に記載の食品密封収容袋包装箱。
【請求項６】
前記押し開き開封部を形成している前記屈曲用ラインは上壁を厚さ方向にハーフカットしたハーフカット線からなっている１から５のいずれか１項に記載の食品密封収容袋包装箱。
【請求項７】
前記押し開き開封部を形成している上壁前端側の前記左右方向破断用ラインは前記上壁と前記前壁の境界稜線に沿って形成されており、前記境界稜線に沿う前記前壁開き用の破断用ラインは該左右方向破断用ラインの左右方向外側に形成されている請求項１から６のいずれか１項に記載の食品密封収容袋包装箱。
【請求項８】
前記前壁は前記上壁の前端に続く第１前壁用片及び前記下壁の前端に続く第２前壁用片を含んでおり、前記第１前壁用片は前記第２前壁用片の上に重ね接着されており、前記押し開き開封部を形成している前記左右方向破断用ラインに臨む前記第２前壁用片の端縁は、該左右方向破断用ラインを提供している押し開き開封部の端縁の前記押し開き時の引っ掛かりを防止するための切り欠き部を有している請求項７に記載の食品密封収容袋包装箱。
【請求項９】
前記押し開き開封部を形成している上壁前端側の左右方向破断用ラインは前記上壁と前記前壁の境界稜線より上壁後端側へ後退した上壁部位に形成されており、該左右方向破断用ラインの左右端から前記境界稜線へ破断用ラインが形成され、前記左右方向破断用ラインと、該境界稜線へ向かう破断用ラインと、前記境界稜線で囲まれる後退部が提供されており、前記前壁開き用の破断用ラインは該後退部の左右方向外側に形成されている請求項１から６のいずれか１項に記載の食品密封収容袋包装箱。
【請求項１０】
電子レンジ加熱可能な食品を密封収容した食品密封収容袋を食品密封収容袋包装箱に収容した食品密封収容袋包装体であり、
前記食品密封収容袋はマイクロ波透過可能なフィルムで形成され、内部に電子レンジ加熱可能な食品が収容され、周辺部が密封されているとともに上面の前端寄り部位に前記食品の加熱による内圧上昇により開封される圧抜き部が形成されている扁平状の袋であり、
前記食品密封収容袋包装箱は請求項１から９のいずれか１項に記載の包装箱であり、
前記食品密封収容袋は、前記包装箱の前記上壁の押し開き開封部が箱内側へ押し開かれると前記食品密封収容袋の圧抜き部に箱前端側から庇状に覆い被さるように、前記圧抜き部が前記上壁の前記押し開き開封部の方へ向けられて該包装箱内に収容されていることを特徴とする食品密封収容袋包装体。
【請求項１１】
請求項１記載の食品密封収容袋包装箱を形成するための、予め裁断された紙製の平坦な箱原板であり、平坦な状態において
前記押し開き開封部が形成された前記上壁、
前記上壁の左側端に続く前記左側壁、
前記上壁の右側端に続く前記右側壁、
前記左側壁の左側端又は前記右側壁の右側端に続く前記下壁、
前記左右の各側壁の前端に続く前フラップ、
前記上壁の前端に続く前記第１前壁用片、
前記下壁の前端に続く前記第２前壁用片、
前記左右の各側壁の後端に続く後ろフラップ、
前記上壁の後端に続く第１後壁用片、
前記下壁の後端に続く第２後壁用片及び
前記左右側壁のいずれか又は前記下壁に続く糊代片を含んでおり、
前記上壁の押し開き開封部は上壁前端側の左右方向破断用ラインと、前記左右方向破断用ラインの左右端から上壁後端側へ向け延びる左側破断用ライン及び右側破断用ラインと、前記左側破断用ライン及び右側破断用ラインの上壁後端側のライン端を結ぶ屈曲用ラインで囲まれており、
前記上壁と前記第１前壁用片の境界ラインに沿って、前壁開き用の破断用ラインが形成されており、
前記右側壁、前記上壁、前記左側壁、前記下壁及び前記糊代片を隣り合うものの境目で順次折り曲げるとともに前記糊代片を介して前記左右側壁のいずれかと前記下壁を接続し、前記前フラップをそれぞれ内側へ折り曲げ、該前フラップ上に前記第１及び第２の前壁用片を曲げ重ねるとともに少なくとも該第１及び第２の前壁用片を接着し、前記後ろフラップをそれぞれ内側へ折り曲げ、該後ろフラップ上に前記第１及び第２の後壁用片を曲げ重ねるとともに少なくとも該第１及び第２の後壁用片を接着することで前記食品密封収容袋包装箱を形成できることを特徴とする箱原板。
【請求項１２】
前記上壁の押し開き開封部を形成している前記屈曲用ラインは上壁後端側へ向け膨出する円弧状ラインである請求項１１記載の箱原板。
【請求項１３】
前記上壁に下面側から突っ張り力が作用した場合に該上壁の上面外側への膨らみ変形を容易化するための、該上壁の前後端方向に延びる上壁折れ曲がり用ラインが前記上壁に形成されている請求項１２記載の箱原板。
【請求項１４】
前記押し開き開封部を形成している上壁前端側の前記左右方向破断用ラインは前記上壁と前記第１前壁用片の境界ラインに沿って形成されており、前記境界ラインに沿う前記前壁開き用の破断用ラインは該左右方向破断用ラインの左右方向外側に形成されている請求項１１，１２又は１３に記載の箱原板。
【請求項１５】
前記上壁の前端に続く第１前壁用片は前記下壁の前端に続く第２前壁用片の上に重ね接着され、前記押し開き開封部を形成している前記左右方向破断用ラインに臨むべき前記第２前壁用片の端縁は、該左右方向破断用ラインを提供している押し開き開封部の端縁の前記押し開き時の引っ掛かりを防止するための切り欠き部を有している請求項１４に記載の箱原板。
【請求項１６】
前記押し開き開封部を形成している上壁前端側の左右方向破断用ラインは前記上壁と前記第１前壁用片の境界ラインより上壁後端側へ後退した上壁部位に形成されており、該左右方向破断用ラインの左右端から該境界ラインへ破断用ラインが形成され、前記左右方向破断用ラインと、該境界ラインへ向かう破断用ラインと、該境界ラインで囲まれる後退部が提供されており、前記前壁開き用の破断用ラインは該後退部の左右方向外側に形成されている請求項１１，１２又は１３に記載の箱原板。
【発明の詳細な説明】
【技術分野】
【０００１】
本発明は電子レンジ加熱可能な食品、例えば調理された、或いは半調理された食品を密封収容した扁平状の食品密封収容袋を包装する包装箱及び前記食品密封収容袋を前記包装箱に収容した食品密封収容袋包装体に関する。本発明はさらに該包装箱を提供するための箱原板にも関係している。
【背景技術】
【０００２】
今日、マイクロ波透過可能な袋（通常、プラスチック袋）に密封収容された種々の電子レンジ加熱可能な食品、例えば既に調理された、或いは半調理された食品が市場に流通している。そのような食品密封収容袋は、電子レンジ内に配置して加熱すると、袋内食品が加熱され、蒸気が発生するので、袋破裂を防止するため、袋内圧が上昇してくると内圧により開封される圧抜き部が形成されている。
【０００３】
例えば、特許第３５６０８６２号公報には、内容物である食品の加熱による内圧上昇により開封される圧抜き部を上面に有する扁平状の食品密封収容袋が記載されている。
【０００４】
このような電子レンジ加熱可能な食品を密封収容した食品密封収容袋は、保管、運搬、展示、記載による種々の情報表示等のために包装箱で収容、包装されるのが一般的である。
【０００５】
また、今日では、包装箱に容れられた食品密封収容袋は包装箱ごと電子レンジ内に配置し、加熱することができるようになっているものもある。
特許第３５６０８６２号公報にはそのような包装箱も記載されている。
【０００６】
同公報によるとは、食品密封収容袋は、その上面の圧抜き部を包装箱の上壁側に向けて該箱に収容され、電子レンジ加熱にあたっては、包装箱の上壁の切離開封部が開封され、それにより圧抜き部が箱外へ向け露出され、圧抜き部が上方に向けられた状態で該箱ごと
電子レンジ内に配置され、加熱される。
【０００７】
このような食品密封収容袋及び包装箱は通常その包装箱に食品密封収容袋を収容した食品密封収容袋包装体の態様で保管、運搬、展示、販売等されている。
【先行技術文献】
【特許文献】
【０００８】
【特許文献１】特許第３５６０８６２号公報
【発明の概要】
【発明が解決しようとする課題】
【０００９】
しかし、前記従来の食品密封収容袋包装体によると、食品密封収容袋を包装箱ごと電子レンジ加熱するとき、該袋の圧抜き部は包装箱の上壁が開封されて、箱外へ向け露出されるので、該袋の圧抜き部が電子レンジ加熱にともなう袋内圧上昇によって開封されると、袋内容物が開かれた該圧抜き部から電子レンジ庫ないに飛散し、庫内を汚し、あとの掃除が大変なことがある。
【００１０】
本発明は、電子レンジ加熱可能な食品を密封収容した食品密封収容袋であって、上面に前記食品の加熱による内圧上昇により開封される圧抜き部を有する扁平状の食品密封収容袋を包装するための食品密封収容袋包装箱であり、該食品密封収容袋を収容したまま電子レンジ内に配置して該袋内食品を加熱することができ、その際、袋内圧上昇に伴って開封される該袋の圧抜き部からの袋内容物の電子レンジ庫内飛散を、該圧抜き部が従来のように電子レンジ庫内へ直接露出される場合よりも抑制でき、電子レンジ庫内掃除もそれだけ楽になる、消費者にとって便利な食品密封収容袋包装箱を提供することを第１の課題とする。
【００１１】
また、本発明は、電子レンジ加熱可能な食品を密封収容した食品密封収容袋であって、上面に前記食品の加熱による内圧上昇により開封される圧抜き部を有する扁平状の食品密封収容袋を食品密封収容袋包装箱に収容した食品密封収容袋包装体であって、前記食品密封収容袋包装箱に前記食品密封収容袋を収容したまま電子レンジ内に配置して該袋内食品を加熱することができ、その際、袋内圧上昇に伴って開封される該袋の圧抜き部からの袋内容物の電子レンジ庫内飛散を、該圧抜き部が従来のように電子レンジ庫内へ直接露出される場合よりも抑制でき、電子レンジ庫内掃除もそれだけ楽になる、消費者にとって便利な食品密封収容袋包装体を提供することを第２の課題とする。
【００１２】
また、本発明は、本発明に係る食品密封収容袋包装箱を組み立て形成できる箱原板を提供することを第３の課題とする。
【課題を解決するための手段】
【００１３】
本発明は前記第１の課題を解決するため、
電子レンジ加熱可能な食品を密封収容した食品密封収容袋であって、上面に前記食品の加熱による内圧上昇により開封される圧抜き部を有する扁平状の食品密封収容袋を包装するための食品密封収容袋包装箱であり、
上壁と、前記上壁の左側端に上端が続く左側壁と、前記上壁の右側端に上端が続く右側壁と、前記左右側壁の下端に続き、前記上壁に対向する下壁と、前記上壁及び下壁の前端に続く前壁及び後端に続く後壁を含んでいて前記左右側壁間距離及び前記前後壁間距離より前記上下壁間距離が短い扁平形状を呈しており、
前記上壁の前端部に押し開き開封部が形成されており、前記押し開き開封部は、上壁前端側の左右方向破断用ラインと、前記左右方向破断用ラインの左右端から上壁後端側へ向け延びる左側破断用ライン及び右側破断用ラインと、前記左側破断用ライン及び右側破断用ラインの上壁後端側のライン端を結ぶ屈曲用ラインで囲まれており、箱外側から箱内側へ押されることで前記各破断用ラインが破断され、前記屈曲用ラインを中心に箱内側へ折れ曲がり可能であり、
前記上壁と前記前壁の境界稜線に沿って、前壁開き用の破断用ラインが形成されている食品密封収容袋包装箱を提供する。
【００１４】
本発明は前記第２の課題を解決するため、
電子レンジ加熱可能な食品を密封収容した食品密封収容袋を食品密封収容袋包装箱に収容した食品密封収容袋包装体であり、
前記食品密封収容袋はマイクロ波透過可能なフィルムで形成され、内部に電子レンジ加熱可能な食品が収容され、周辺部が密封されているとともに上面の前端寄り部位に前記食品の加熱による内圧上昇により開封される圧抜き部が形成されている扁平状の袋であり、
前記食品密封収容袋包装箱は本発明に係る包装箱であり、
前記食品密封収容袋は、前記包装箱の前記上壁の押し開き開封部が箱内側へ押し開かれると前記食品密封収容袋の圧抜き部に箱前端側から庇状に覆い被さるように、前記圧抜き部が前記上壁の前記押し開き開封部の方へ向けられて該包装箱内に収容されている食品密封収容袋包装体を提供する。
【００１５】
本発明に係る食品密封収容袋包装箱によると、その組立て形成とともに内部に食品密封収容袋を収容することができる。
本発明に係る食品密封収容袋包装箱によると、前記上壁に形成された押し開き開封部を箱内側へ向けて押すことで、該押し開き開封部を囲っているラインのうち、換言すれば、該押し開き開封部を形成しているラインのうち、破断用ラインを破断するとともに屈曲用ラインを中心にして（換言すれば、支線にして）、該押し開き開封部を箱内側へ折り曲げ、開くことができる。
【００１６】
さらにそのあと、そのようにして開かれた箱部分から前記前壁の上端部の内側等へ力を及ぼして、前記上壁と前記前壁の境界稜線に沿って形成された前壁開き用の破断用ラインを破断して該前壁を前方へ開くことができる。
【００１７】
このように箱が開封された状態で、また、内部に食品密封収容袋が収容された状態で、且つ、該袋の圧抜き部が箱上壁の押し開き開封部の方へ向けられて収容された状態で、前記上壁を上向きにして電子レンジ内トレイに載置し、食品密封収容袋内食品を加熱開始することができる。かくして食品密封収容袋内の食品が加熱され、それにより発生する蒸気圧で該袋の圧抜き部が開封される。
【００１８】
この包装箱によると、前記袋の圧抜き部が開封されても、押し開かれて箱内側へ折り曲げられた前記押し開き開封部が、該開封された圧抜き部に箱前端側から庇状に覆い被さるような姿勢をとるので、圧抜き部が従来のように電子レンジ庫内へ直接露出される場合と比較すると、袋内容物の圧抜き部からの電子レンジ庫内飛散をよりよく抑えることができ、電子レンジ庫内掃除もそれだけ楽になる。
【００１９】
また本発明に係る食品密封収容袋包装体によると、食品密封収容袋包装箱として本発明に係る包装箱を採用しているので、該箱の上壁の押し開き開封部、或いはさらに前記前壁を前記と同様に開けて、上壁を上向きにして電子レンジ内トレイに載置し、加熱開始することができ、食品密封収容袋内の食品が加熱され、それにより発生する蒸気圧で該袋の圧抜き部が開封される。
【００２０】
このように本発明に係る包装体によると、食品密封収容袋包装箱に食品密封収容袋を収容したまま電子レンジ内に配置して該袋内食品を電子レンジ加熱することができ、その際、
前記袋の圧抜き部が開封されても、押し開かれて箱内側へ折り曲げられた前記押し開き開封部が、該開封された圧抜き部に箱前端側から庇状に覆い被さるような姿勢をとるので、圧抜き部が従来のように電子レンジ庫内へ直接露出される場合と比較すると、袋内用物飛散をよりよく抑えることができ、電子レンジ庫内掃除もそれだけ楽になる。
【００２１】
いずれにしても、本発明に係る包装箱における前記上壁の押し開き開封部を提供する左右方向破断用ライン、左側破断用ライン、右側破断用ラインや前壁開き用の破断用ラインとしては、切断線と該切断線より短い点状破断用部を交互にライン状に配列して形成されているもの、切断線を間隔を開けてミシン目状に配列したものを例示できる。
なお、［切断線］とは壁構成材を表裏に貫通するように切断してなる線である。
【００２２】
本発明に係る包装箱における前記上壁の押し開き開封部を提供する前記屈曲用ラインとしては、前記上壁を厚さ方向に、貫通しないようにカットしたハーフカット線からなっているものを例示できる。この場合、屈曲用ラインは、一本に連続したハーフカット線からなっていてもよく、ミシン目様に断続的に形成されたハーフカット線からなっていてもよい。
【００２３】
また、前記屈曲用ラインは、前記上壁を厚さ方向に窪むように筋付けして形成されていてもよい。
【００２４】
前記押し開き開封部を形成している前記屈曲用ラインは、箱内の食品密封収容袋が加熱されて膨張するにともない上壁及びそれに対向する下壁が上下に突っ張られて上壁が上方へ凸に膨らむと、該押し開き開封部が一層箱内側へ折れ曲がった姿勢に維持され易くなるように、また、いったん箱内側へ折り曲げられると、反対に箱外側へは曲がり難くなるように、上壁後端側へ向け膨出する円弧状ラインであってもよい。
【００２５】
また同様の理由で、押し開き開封部は上壁前端側から上壁後端側へ広がる扇形状の開封部であってもよい。
【００２６】
また、前記上壁に箱内側から突っ張り力が作用した場合に該上壁の箱外側への膨らみ変形を容易化するための、該上壁の前後端方向に延びる上壁折れ曲がり用ラインが前記上壁に形成されていてもよい。該折れ曲がり用ラインは、例えば、上壁を厚さ方向に窪むように筋付けして形成することができる。
【００２７】
前記押し開き開封部には押し開きを誘導するためのエンボス加工（例えば窪み形成）が施されていてもよい。
【００２８】
前記押し開き開封部に関して、次の二つのタイプの包装箱を例示できる。一つは、
前記押し開き開封部を形成している上壁前端側の前記左右方向破断用ラインが前記上壁と前記前壁の境界稜線に沿って形成されており、前記境界稜線に沿う前記前壁開き用の破断用ラインは該左右方向破断用ラインの左右方向外側に形成されている包装箱である。
【００２９】
この包装箱の場合、
前記前壁は前記上壁の前端に続く第１前壁用片及び前記下壁の前端に続く第２前壁用片を含んでおり、前記第１前壁用片は前記第２前壁用片の上に重ね接着されており、前記押し開き開封部を形成している前記左右方向破断用ラインに臨む前記第２前壁用片の端縁は、該左右方向破断用ラインを提供している押し開き開封部の端縁の前記押し開き時の引っ掛かりを防止するための切り欠き部を有することができる。
【００３０】
もう一つのタイプの包装箱は、
前記押し開き開封部を形成している上壁前端側の左右方向破断用ラインが前記上壁と前記前壁の境界稜線より上壁後端側へ後退した上壁部位に形成されており、該左右方向破断用ラインの左右端から前記境界稜線へ破断用ラインが形成され、前記左右方向破断用ラインと、該境界稜線へ向かう破断用ラインと、前記境界稜線で囲まれる後退部が提供されており、前記前壁開き用の破断用ラインは該後退部の左右方向外側に形成されている包装箱である。
【００３１】
本発明は前記第３の課題を解決するため、予め裁断された紙製（紙主体）の平坦な箱原板を提供する。
該箱原板は平坦な状態において
前記押し開き開封部が形成された前記上壁、
前記上壁の左側端に続く前記左側壁、
前記上壁の右側端に続く前記右側壁、
前記左側壁の左側端又は前記右側壁の右側端に続く前記下壁、
前記左右の各側壁の前端に続く前フラップ、
前記上壁の前端に続く前記第１前壁用片、
前記下壁の前端に続く前記第２前壁用片、
前記左右の各側壁の後端に続く後ろフラップ、
前記上壁の後端に続く第１後壁用片、
前記下壁の後端に続く第２後壁用片及び
前記左右側壁のいずれか又は前記下壁に続く糊代片を含んでいる。
【００３２】
前記上壁の押し開き開封部は上壁前端側の左右方向破断用ラインと、前記左右方向破断用ラインの左右端から上壁後端側へ向け延びる左側破断用ライン及び右側破断用ラインと、前記左側破断用ライン及び右側破断用ラインの上壁後端側のライン端を結ぶ屈曲用ラインで囲まれており、
前記上壁と前記第１前壁用片の境界ラインに沿って、前壁開き用の破断用ラインが形成されている。
【００３３】
この箱原板によると、前記右側壁、前記上壁、前記左側壁、前記下壁及び前記糊代片を隣り合うものの境目で順次折り曲げるとともに前記糊代片を介して前記左右側壁のいずれかと前記下壁を接続し、前記前フラップをそれぞれ内側へ折り曲げ、該前フラップ上に前記第１及び第２の前壁用片を曲げ重ねるとともに少なくとも該第１及び第２の前壁用片を接着し、前記後ろフラップをそれぞれ内側へ折り曲げ、該後ろフラップ上に前記第１及び第２の後壁用片を曲げ重ねるとともに少なくとも該第１及び第２の後壁用片を接着することで前記食品密封収容袋包装箱を形成できる。
【００３４】
この箱原板においても、前記上壁の押し開き開封部を形成している前記屈曲用ラインは上壁後端側へ向け膨出する円弧状ラインとすることができる。該押し開き開封部は例えば上壁前端側から上壁後端側へ広がる扇形状の開封部であってもよい。また、上壁に上壁の前後端方向に延びる上壁折れ曲がり用ラインが形成されていてもよい。さらに、押し開き開封部には押し開きを誘導するためのエンボス加工（例えば窪み形成）が施されていてもよい。
【００３５】
また、前記押し開き開封部に関し、前記包装箱の場合と同様に、
（１）前記押し開き開封部を形成している上壁前端側の前記左右方向破断用ラインは前記上壁と前記第１前壁用片の境界ラインに沿って形成されており、前記境界ラインに沿う前記前壁開き用の破断用ラインは該左右方向破断用ラインの左右方向外側に形成されている場合、
（２）前記押し開き開封部を形成している上壁前端側の左右方向破断用ラインは前記上壁と前記第１前壁用片の境界ラインより上壁後端側へ後退した上壁部位に形成されており、該左右方向破断用ラインの左右端から該境界ラインへ破断用ラインが形成され、前記左右方向破断用ラインと、該境界ラインへ向かう破断用ラインと、該境界ラインで囲まれる後退部が提供されており、前記前壁開き用の破断用ラインは該後退部の左右方向外側に形成されている場合を例示できる。
【００３６】
前者（１）の場合、前記上壁の前端に続く第１前壁用片は前記下壁の前端に続く第２前壁用片の上に重ね接着され、前記押し開き開封部を形成している前記左右方向破断用ラインに臨むべき前記第２前壁用片の端縁は、該左右方向破断用ラインを提供している押し開き開封部の端縁の前記押し開き時の引っ掛かりを防止するための切り欠き部を有することができる。
【発明の効果】
【００３７】
以上説明したように本発明によると、
電子レンジ加熱可能な食品を密封収容した食品密封収容袋であって、上面に前記食品の加熱による内圧上昇により開封される圧抜き部を有する扁平状の食品密封収容袋を包装するための食品密封収容袋包装箱であり、該食品密封収容袋を収容したまま電子レンジ内に配置して該袋内食品を加熱することができ、その際、袋内圧上昇に伴って開封される該袋の圧抜き部からの袋内容物の電子レンジ庫内飛散を、該圧抜き部が従来のように電子レンジ庫内へ直接露出される場合と比較すると、よく抑えることができ、電子レンジ庫内掃除もそれだけ楽になる、消費者にとって便利な食品密封収容袋包装箱を提供することができる。
【００３８】
また本発明によると、
電子レンジ加熱可能な食品を密封収容した食品密封収容袋であって、上面に前記食品の加熱による内圧上昇により開封される圧抜き部を有する扁平状の食品密封収容袋を食品密封収容袋包装箱に収容した食品密封収容袋包装体であって、前記食品密封収容袋包装箱に前記食品密封収容袋を収容したまま電子レンジ内に配置して該袋内食品を加熱することができ、その際、袋内圧上昇に伴って開封される該袋の圧抜き部からの袋内容物の電子レンジ庫内飛散を、該圧抜き部が従来のように電子レンジ庫内へ直接露出される場合と比較すると、よく抑えることができ、電子レンジ庫内掃除もそれだけ楽になる、消費者にとって便利な食品密封収容袋包装体を提供することができる。
【００３９】
本発明によると、さらに、本発明に係る食品密封収容袋包装箱を形成できる箱原板を提供できる。
【図面の簡単な説明】
【００４０】
【図１】本発明に係る食品密封収容袋包装体の１例の上壁側からの斜視図である。
【図２】図１の包装体を構成している食品密封収容袋包装箱の組み立て前の原板例を示す図である。
【図３】図１の包装体において包装箱を開けた状態例の斜視図である。
【図４】食品密封収容袋の１例を示すもので、図（Ａ）は上面図、図（Ｂ）は側面図、図（Ｃ）は圧抜き部を示す図である。
【図５】本発明に係る食品密封収容袋包装体の他の例の上壁側からの斜視図である。
【図６】図５の包装体を構成している食品密封収容袋包装箱の組み立て前の原板例を示す図である。
【図７】図５の包装体において包装箱を開けた状態例の斜視図である。
【発明を実施するための形態】
【００４１】
図１は本発明に係る食品密封収容袋包装体の１例１００の上壁側からの斜視図であり、図２はこの包装体１００を構成している食品密封収容袋包装箱の組み立て前の原板例を示す図である。
【００４２】
図示の包装体１００は電子レンジ加熱可能な食品を密封収容した食品密封収容袋２を食品密封収容袋包装箱１に収容したものである。
【００４３】
食品密封収容袋２は図４に示すように、マイクロ波透過可能なフィルムｆで形成され、内部に電子レンジ加熱可能な食品Ｆが収容されているとともに周辺部２００がヒートシールで密封されて扁平矩形状を呈しているものである。
【００４４】
袋２は、その上面２０の袋前端２１寄りの部位に、食品Ｆの加熱による内圧上昇により開封される圧抜き部２２を有している。圧抜き部２２は、それとは限定されないが、本例では袋２を形成しているフィルムｆ同士を袋上面側で対面させてヒートシールし、且つ、その際、ヒートシールの一部を弱シール部として圧抜き部２２としたものである。圧抜き部のヒートシールは、袋の他の部分のヒートシールが破損しない袋内圧で開かれる弱シール部である。
【００４５】
この袋２は包装箱１を後述するように組み立てるとき、圧抜き部２２を包装箱１の前壁１５側に向けて、且つ、上壁１１の押し開き開封部１０の方へ向けて該包装箱１に収容される。
【００４６】
食品密封収容袋包装箱１は、図１に示すように、上壁１１と、上壁１１の左側端１１３に上端が連続する左側壁１２と、上壁１１の右側端１１４に上端が連続する右側壁１３と、左右側壁１２、１３の下端に連続し、上壁１１に対向する下壁１４と、前記各壁の前端に続く前壁１５及び後端に続く後壁１６を含んでいる。包装箱１は左右側壁１２、１３間距離及び前後壁１５、１６間距離より上下壁１１、１４間距離が短い扁平直方体形状を呈している。
【００４７】
上壁１１の前端部に押し開き開封部１０が形成されている。押し開き開封部１０は、上壁前端１１１側の左右方向破断用ラインａと、左右方向破断用ラインａの左右端から上壁後端１１２側へ向け延びる左側破断用ラインｂ１及び右側破断用ラインｂ２と、破断用ラインｂ１、ｂ２の上壁後端１１２側のライン端を結ぶ屈曲用ラインｃで囲まれている。屈曲用ラインｃは上壁後端１１２側へ向け膨出する円弧状ラインである。
【００４８】
この押し開き開封部１０は、そこを箱内側へ向けて押すことで、該押し開き開封部１０を囲っているラインのうち、換言すれば、該押し開き開封部１０を形成しているラインのうち、破断用ラインａ，ｂ１、ｂ２を破断するとともに屈曲用ラインｃを中心にして（換言すれば、支線にして）、箱内側へ折り曲げ、開くことができる部分である。
【００４９】
破断用ラインａ、ｂ１、ｂ２は短い切断線を間隔を開けてミシン目様に配列してなるものである。ここで［切断線］とは壁構成材を表裏に貫通するように切断してなる線である。
【００５０】
屈曲用ラインｃは、ハーフカット線を間隔をおいてミシン目様に、且つ、上壁後端側へ膨出した円弧状に配列してなるものである。ここで「ハーフカット線」とは、上壁１１がその厚さ方向に、上壁を貫通することなくカットされた線である。
【００５１】
屈曲用ラインｃは、上壁１１にその厚さ方向に窪むように筋付けして形成されていてもよい。
【００５２】
図示例では、押し開き開封部１０は上壁前端１１１側から上壁後端１１２側へ広がる扇形状の開封部である。押し開き開封部１０には箱内側へ向けての押し開きを誘導するための窪み部Ｈがエンボス加工で形成されている。
【００５３】
また、図示例では、上壁１１に箱内側から突っ張り力が作用した場合に上壁１１の箱外側への膨らみ変形を容易化するための、上壁前後端方向に延びる上壁折れ曲がり用ラインＬが上壁１１に形成されている。図示例では、ラインＬは屈曲用ラインｃの両端から上壁後端側の両角部へ向け延びている。各折れ曲がり用ラインＬは上壁を厚さ方向に窪むように筋付けして形成されている。
【００５４】
図１に示す例では、押し開き開封部１０を形成している破断用ラインａ、ｂ１、ｂ２及び屈曲用ラインｃのうち、左右方向破断用ラインａは上壁１１と前壁１５の境界稜線（本例では上壁の前端１１１に一致）に沿って形成されており、この破断用ラインａの左右方向外側で、該境界稜線に沿って前壁開き用の破断用ラインｄ１、ｄ２が形成されている。
【００５５】
前壁１５は、左右の側壁１２，１３の前端に続く前フラップ１２１、１３１、  上壁１１の前端１１１（本例では前壁１５と上壁１１の、前記前壁開き用破断ラインｄ１、ｄ２を設けた境界稜線に同じ）に続く第１前壁用片１５１及び下壁１４の前端１４１に続く第２前壁用片１５２を含んでいる。
【００５６】
第１前壁用片１５１は第２前壁用片１５２の上に重ね接着されている。
押し開き開封部１０を形成している左右方向破断用ラインａに臨む第２前壁用片１５２の端縁βには、左右方向破断用ラインａを提供している押し開き開封部の端縁αが開封部１０の押し開き時に引っ掛かることを防止するための切り欠き部１５２ａが形成されている。
【００５７】
この包装箱１は、図２に示す予め裁断された紙製の（主として紙で形成されている）平坦な箱原板１０００を折り曲げ、ホットメルトグルーのような接着剤で接着して形成されている。
箱原板１０００は図２に示す平坦な状態において次のように構成されている。すなわち、
押し開き開封部１０及び折れ曲がり用ラインＬが形成された上壁１１、
上壁１１の左側端１１３に続く左側壁１２、
上壁１１の右側端１１４に続く右側壁１３、
左側壁１２の左側端１２０（ここでは下壁１４の右側端１４４に一致）に続く下壁１４、
左右の側壁１２，１３の前端に続く前フラップ１２１，１３１、
上壁１１の前端１１１に続く第１前壁用片１５１、
下壁１４の前端１４１に続く第２前壁用片１５２、
左右の側壁１２，１３の後端に続く後ろフラップ１２２，１３２、
上壁１１の後端１１２に続く第１後壁用片１６１、
下壁１４の後端１４２に続く第２後壁用片１６２及び
下壁１４の左側端１４３続く糊代片１７を含んでいる。
【００５８】
この箱原版における上壁１１の押し開き開封部１０は上壁前端側の左右方向破断用ラインａと、左右方向破断用ラインａの左右端から上壁後端側へ向け延びる左側破断用ラインｂ１及び右側破断用ラインｂ２と、破断用ラインｂ１、ｂ２の上壁後端側のライン端を結ぶ屈曲用ラインｃで囲まれている。
【００５９】
左右方向破断用ラインａは上壁１１と前壁１５の境界稜線１１１に沿って形成されており、その両外側に境界稜線１１１に沿って前壁開き用の破断用ラインｄ１、ｄ２が形成されている。前壁１５の第２前壁用片１５２の端縁βには、切り欠き部１５２ａが形成されている。
【００６０】
この原版１０００は、右側壁１３、上壁１１、左側壁１２、下壁１４及び糊代片１７が隣り合うものの境目で順次折り曲げられるとともに糊代片１７を介して下壁１４と右側壁１３が接着接続される。さらに、前フラップ１２１，１３１がそれぞれ内側へ折り曲げられ、前フラップ上に第２及び第１の前壁用片１５２，１５１がこの順序で曲げ重ねられるとともに両前壁用片が接着され、後ろフラップ１６１、６１２がそれぞれ内側へ折り曲げられ、該後ろフラップ上に第１及び第２の後壁用片１６１，１６２が曲げ重ねられるとともに両者が接着される。このようにして食品密封収容袋包装箱１は形成される。
【００６１】
なお、前記糊代片１７は側壁１３に続けて形成されてもよく、また、下壁１４が側壁１３に続けて形成されるとともに糊代片１７が側壁１２又は下壁１４に続けて形成されてもよい。
【００６２】
以上説明した包装体１００を構成している包装箱１は、図３に示すように、上壁１１に形成された押し開き開封部１０を箱内側へ向けて押すことで、該開封部１０を形成している破断用ラインａ、ｂ１、ｂ２を破断するとともに屈曲用ラインｃを中心にして箱内側へ折り曲げ、開くことができる。
【００６３】
さらにそのあと、そのようにして開かれた箱部分から前壁１５の上端部の内側等へ力を及ぼして、上壁１１と前壁１５の境界稜線１１１に沿って形成された前壁開き用の破断用ラインｄ１、ｄ２を破断して該前壁１５を前方へ開くことができる。
【００６４】
例えばこのように箱１が予め開封された状態で、また、内部に食品密封収容袋２が収容された状態で、且つ、袋２の圧抜き部２２が箱上壁１１の押し開き開封部１０の方へ向けられて収容された状態で、上壁１１を上向きにして電子レンジ内トレイに載置し、食品密封収容袋内食品Ｆを加熱開始することができる。かくして食品密封収容袋２内の食品Ｆが加熱され、それにより発生する蒸気圧で袋２の圧抜き部２２が開封される。
【００６５】
この包装箱１によると、袋２の圧抜き部２２が開封されても、押し開かれて箱内側へ折り曲げられた押し開き開封部１０が、開封された圧抜き部２２に箱前端側から庇状に覆い被さるような姿勢をとるので、圧抜き部が従来のように電子レンジ庫内へ直接露出される場合と比較すると、袋内容物の圧抜き部２２からの電子レンジ庫内飛散をよりよく抑えることができ、電子レンジ庫内掃除もそれだけ楽になる。
【００６６】
また、図１に示す包装箱１では、押し開き開封部１０の屈曲用ラインｃは上壁後端側へ凸円弧状に形成されているので、押し開き開封部１０が箱内側へ押し開かれたあと、袋２内の食品Ｆが電子レンジ加熱され、袋２が膨張して上壁１１が箱内側から上下方向の突っ張り力を受けて上方外側へ膨らむように変形する、或いは変形しようとすることで、押し開き開封部１０は開封された圧抜き部２２に箱前端側から庇状に覆い被さるような姿勢を維持しやすく、また、上壁１１には左右の折れ曲がり用ラインＬが形成されていて上壁１１は袋２の膨張により上向きに膨らみ変形しやすく、この点からも、開封部１０は圧抜き部２２に箱前端側から庇状に覆い被さるような姿勢を維持しやすい。
【００６７】
また食品密封収容袋包装体１００によると、食品密封収容袋包装箱として包装箱１を採用しているので、箱上壁１１の押し開き開封部１０及び前壁１５を前記と同様に開けて、上壁１１を上向きにして電子レンジ内トレイに載置し、加熱開始することができ、袋２内の食品Ｆが加熱され、それにより発生する蒸気圧で該袋の圧抜き部２２が開封される。
【００６８】
このように包装体１００によると、食品密封収容袋包装箱１に食品密封収容袋２を収容したまま電子レンジ内に配置して該袋内食品を電子レンジ加熱することができ、その際、
袋の圧抜き部２２が開封されても、予め押し開かれて箱内側へ折り曲げられた押し開き開封部１０が、該開封された圧抜き部に箱前端側から庇状に覆い被さるような姿勢をとるので、圧抜き部が従来のように電子レンジ庫内へ直接露出される場合と比較すると、袋内用物飛散をよりよく抑えることができ、電子レンジ庫内掃除もそれだけ楽になる。
【００６９】
図５は食品密封収容袋包装体の他の例１００’を示している。図６は包装体１００’を構成している食品密封収容袋包装箱１’の組み立て前の原板例１０００’を示している。図７は包装体１００’において包装箱１’を開けた状態例を示している。
【００７０】
図５〜図７からわかるように、包装体１００’は包装箱の点で包装体１００と異なっているが、その他の点は包装体１００と同じである。また、包装箱１’は次の点で前記包装箱１と異なっているだけである。図１〜図３に示す包装体１００及び包装箱１と同じ部分、部品等には図１〜図３と同じ参照符号を付してある。
【００７１】
食品密封収容袋包装体１００’は食品密封収容袋包装箱１’に食品密封収容袋２を収容したものである。食品密封収容袋包装箱１’は前記箱１の押し開き開封部１０を上壁１１と前壁１５の境界稜線１１１（上壁１１の前端１１１に同じ）から少し上壁後端１１２側へずらせて設けるとともに、左右方向破断用ラインａの左右端から境界稜線１１１へ破断用ラインｅ１、ｅ２を形成し、左右方向破断用ラインａと、該破断用ラインｅ１、ｅ２と、境界稜線１１１で囲まれる後退部Ｒを形成したものである。前壁開き用の破断用ラインｄ１、ｄ２は境界稜線１１１に沿って後退部Ｒの左右方向外側に形成されている。その他の点は箱１と同じである。
【００７２】
また、箱１’は例えば図６に示す箱原版１０００’から組み立てることができるが、箱原版１０００’は前記の箱原版１０００において、上壁１１の押し開き開封部１０を上壁１１と前壁用片１５１の境界線１１１（上壁１１の前端１１１に同じ）から少し上壁後端１１２側へずらせて設けるとともに、左右方向破断用ラインａの左右端から境界線１１１へ破断用ラインｅ１、ｅ２を形成し、左右方向破断用ラインａと、該破断用ラインｅ１、ｅ２と、境界線１１１で囲まれる後退部Ｒを形成したものである。前壁開き用の破断用ラインｄ１、ｄ２は境界線１１１に沿って後退部Ｒの左右方向外側に形成されている。その他の点は箱原版１０００と同じであり、原版１０００の場合と同様にして箱１’へ組み立てることができる。
【００７３】
この包装箱１’及び包装体１００’の場合も、図７に示すように、上壁１１に形成された押し開き開封部１０を箱内側へ向けて押すことで、該開封部１０を形成している破断用ラインａ、ｂ１、ｂ２を破断するとともに屈曲用ラインｃを中心にして箱内側へ折り曲げ、開くことができる。
【００７４】
さらにそのあと、後退部Ｒを前壁１５の内面へ当てがうように箱内側へ押し曲げつつ前壁１５の上端部の内側等へ力を及ぼして、上壁１１と前壁１５の境界線１１１に沿って形成された前壁開き用の破断用ラインｄ１、ｄ２を破断して該前壁１５を前方へ開くことができる。
【００７５】
このように箱１’が予め開封された状態で、また、内部に食品密封収容袋２が収容された状態で、且つ、袋２の圧抜き部２２が箱上壁１１の押し開き開封部１０の方へ向けられて収容された状態で、上壁１１を上向きにして電子レンジ内トレイに載置し、食品密封収容袋内食品Ｆを加熱開始することができる。かくして食品密封収容袋２内の食品Ｆが加熱され、それにより発生する蒸気圧で袋２の圧抜き部２２が開封される。
【００７６】
この包装箱１’の場合も、押し開かれて箱内側へ折り曲げられた押し開き開封部１０が、開封された圧抜き部２２に箱前端側から庇状に覆い被さるような姿勢をとるので、圧抜き部が従来のように電子レンジ庫内へ直接露出される場合と比較すると、袋内容物の圧抜き部２２からの電子レンジ庫内飛散をよりよく抑えることができ、電子レンジ庫内掃除もそれだけ楽になる。
【００７７】
また食品密封収容袋包装体１００’によると、食品密封収容袋包装箱として包装箱１’を採用しているので、箱上壁１１の押し開き開封部１０及び前壁１５を前記と同様に開けて、上壁１１を上向きにして電子レンジ内トレイに載置し、加熱開始することができる。
【００７８】
また、予め押し開かれて箱内側へ折り曲げられた押し開き開封部１０が、該開封された圧抜き部に箱前端側から庇状に覆い被さるような姿勢をとるので、圧抜き部が従来のように電子レンジ庫内へ直接露出される場合と比較すると、袋内用物飛散をよりよく抑えることができ、電子レンジ庫内掃除もそれだけ楽になる。
【産業上の利用可能性】
【００７９】
本発明は電子レンジ加熱可能な食品を密封収容した食品密封収容袋を包装する便利な食品密封収容袋包装箱及び前記食品密封収容袋を前記食品密封収容袋包装箱に収容した便利な食品密封収容袋包装体並びに包装箱を形成するための箱原板を提供することに利用できる。
【符号の説明】
【００８０】
１００、１００’  食品密封収容袋包装体
１、１’  食品密封収容袋包装箱
１０００、１０００’  箱原板
１１  上壁
１０  押し開き開封用部
ａ  左右方向破断用ライン
ｂ１  左側破断用ライン
ｂ２  右側破断用ライン
ｃ  屈曲用ライン
ｄ１、ｄ２  破断用ライン
１１１  上壁前端
１１２  上壁後端
１１３  上壁左端
１１４  上壁右端
１２  左側壁
１３  右側壁
１４  下壁
１５  前壁
１２１、１３１  前フラップ
１５１，１５２  前壁用片
α  押し開き開封用部１０の端縁
β  第２前壁用片１５２の切り欠き部
１６  後壁
１２２、１３２  後ろフラップ
１６１，１６２  後壁用片
１７  糊代片
２  食品密封収容袋
ｆ  フィルム
２００  周辺部
２０  袋上面
２１  袋前端
２２  圧抜き部
Ｆ  食品
【図１】
2013018502.tif 000003
【図２】
2013018502.tif 000004
【図３】
2013018502.tif 000005
【図４】
2013018502.tif 000006
【図５】
2013018502.tif 000007
【図６】
2013018502.tif 000008
【図７】
2013018502.tif 000009